(57)【要約】【課題】デジタルマルチメディア放送チャンネルの変更時にも、同一の音量のデジタルマルチメディア放送オーディオ信号を出力するデジタルマルチメディア放送受信端末のデジタルマルチメディア放送チャンネルに従うオーディオ信号出力方法及び装置を提供する。【解決手段】本発明は、受信されるデジタルマルチメディア放送信号の基本音量値と多数のデジタルマルチメディア放送受信端末の基本レベル値とを比較して、その差異値に従う補正値からなる補正値テーブルを構成し、現在受信されるデジタルマルチメディア放送信号と現在設定された基本レベル値とに従って対応する補正値を検出して、前記受信されるデジタルマルチメディア放送信号を前記補正値に従って増幅又は減衰して出力することで、同一の出力レベルが設定された状態では均一な音量のオーディオ信号の出力が可能となる。【選択図】図２
2007013968.tif 000002
【特許請求の範囲】
【請求項１】
デジタルマルチメディア放送受信端末のデジタルマルチメディア放送チャンネルに従うオーディオ信号出力方法において、
各デジタルマルチメディア放送チャンネルに対応するデジタルマルチメディア放送信号の基本音量値と、前記デジタルマルチメディア放送受信端末の既に格納された多数の音量レベル値とを比較して、算出される多数の差異値に対応する補正値を格納するステップと、
任意のデジタルマルチメディア放送信号が受信されれば、当該デジタルマルチメディア放送チャンネルと現在デジタルマルチメディア放送受信端末に設定された音量レベル値とに従って対応する補正値を検出し、検出された補正値に従って前記任意のマルチメディア放送信号の基本音量値を増幅又は減衰して出力するステップと、を含むことを特徴とするデジタルマルチメディア放送チャンネルに従うオーディオ信号出力方法。
【請求項２】
任意の基本音量値が、比較される任意の音量レベル値よりも小さければ、算出される補正値は前記任意の基本音量値を減衰させる値となり、比較される前記任意の音量レベル値よりも大きければ、算出される補正値は前記任意の基本音量値を増幅させる値となることを特徴とする、請求項１に記載のデジタルマルチメディア放送チャンネルに従うオーディオ信号出力方法。
【請求項３】
デジタルマルチメディア放送受信端末のデジタルマルチメディア放送チャンネルに従うオーディオ信号出力方法において、
現在設定されたデジタルマルチメディア放送チャンネルが、最初に受信するデジタルマルチメディア放送チャンネルか否かを判別するステップと、
前記デジタルマルチメディア放送チャンネルが、最初に受信するデジタルマルチメディア放送チャンネルであれば、受信されるデジタルマルチメディア放送信号の基本音量値と前記デジタルマルチメディア放送受信端末の既に格納された多数の音量レベル値とを比較して、算出される多数の差異値に対応する補正値を補正値テーブルで構成して格納するステップと、
前記デジタルマルチメディア放送チャンネルと前記現在デジタルマルチメディア放送受信端末に設定された音量レベル値とに従って対応する補正値を検出し、検出された補正値に従って前記マルチメディア放送信号の基本音量値を増幅又は減衰して出力するステップと、を含むことを特徴とするデジタルマルチメディア放送チャンネルに従うオーディオ信号出力方法。
【請求項４】
前記デジタルマルチメディア放送チャンネルが、最初に受信するデジタルマルチメディア放送チャンネルでなければ、既に格納された補正値テーブルより前記デジタルマルチメディア放送チャンネルと前記現在デジタルマルチメディア放送受信端末に設定された音量レベル値とに従って対応する補正値を検出し、検出された補正値に従って前記マルチメディア放送信号の基本音量値を増幅又は減衰して出力するステップをさらに含むことを特徴とする、請求項３に記載の方法。
【請求項５】
ユーザーにより前記デジタルマルチメディア放送受信端末に設定された音量レベル値が変化すれば、前記補正値テーブルで当該音量レベル値と前記デジタルマルチメディア放送チャンネルに従って対応する補正値とを検出して、検出された補正値に従って前記マルチメディア放送信号の基本音量値を増幅又は減衰して出力するステップをさらに含むことを特徴とする、請求項３に記載の方法。
【請求項６】
デジタルマルチメディア放送受信端末のデジタルマルチメディア放送チャンネルに従うオーディオ信号出力装置において、
前記デジタルマルチメディア放送受信端末の多数の音量レベル値及び多数の補正値を格納するメモリと、
各デジタルマルチメディア放送チャンネルに対応するデジタルマルチメディア放送信号の基本音量値と、前記多数の音量レベル値とを比較して、算出された多数の差異値に対応する前記多数の補正値を前記メモリに格納し、任意のデジタルマルチメディア放送信号が受信されれば、当該デジタルマルチメディア放送チャンネルと前記現在デジタルマルチメディア放送受信端末に設定された音量レベル値とに従って対応する補正値を検出して、検出された補正値に従って前記任意のマルチメディア放送信号の基本音量値を増幅又は減衰して出力するように、オーディオ処理部を制御するデジタルマルチメディア放送処理部と、を備えることを特徴とするデジタルマルチメディア放送チャンネルに従うオーディオ信号出力装置。
【請求項７】
任意の基本音量値が、比較される任意の音量レベル値よりも小さければ、算出される補正値は前記任意の基本音量値を減衰させる値となり、比較される任意の音量レベル値よりも大きければ、算出される補正値は前記任意の基本音量値を増幅させる値となることを特徴とする、請求項６に記載のデジタルマルチメディア放送チャンネルに従うオーディオ信号出力装置。
【発明の詳細な説明】
【技術分野】
【０００１】
本発明はデジタルマルチメディア放送受信端末に関し、特に、デジタルマルチメディア放送受信端末のデジタルマルチメディア放送チャンネルに従うオーディオ信号出力方法及び装置に関する。
【背景技術】
【０００２】
一般に、デジタルマルチメディア放送システムは、多数の放送コンテンツ提供者により製作された放送コンテンツを、各放送コンテンツ提供者に応じて設定された多数の放送チャンネルを用いて転送することにより、加入者にデジタルマルチメディア放送サービスを提供する。すなわち、各チャンネル別に転送される放送コンテンツの提供者が同一でない場合が多いため、放送コンテンツに含まれるオーディオ信号の基本音量値も同一でない。これにより、デジタルマルチメディア放送信号に含まれたオーディオ信号の基本音量値は各放送チャンネル毎に異なる値を持つ。
【０００３】
従来のデジタルマルチメディア放送受信端末は、ユーザーの操作がない限り、ユーザーにより端末に設定された固定の音量レベル値を、受信されるデジタルマルチメディア放送信号に含まれたオーディオ信号の基本音量値に加算して出力する。換言すれば、デジタルマルチメディア放送受信端末の出力音量レベル値がレベル３に設定されれば、受信されるデジタルマルチメディア放送信号に含まれたオーディオ信号の基本音量値にレベル３だけの音量値を加算して、最終的にデジタルマルチメディア放送オーディオ信号を出力する。
【０００４】
しかしながら、前述したように、デジタルマルチメディア放送信号に含まれたオーディオ信号の基本音量値は放送チャンネル毎に異なるため、ユーザーにより放送チャンネルが変更される毎に、デジタルマルチメディア放送受信端末が最終的に出力するデジタルマルチメディア放送オーディオ信号の音量の大きさも変化することになる。
【０００５】
よって、ユーザーがデジタルマルチメディア放送の視聴時、放送チャンネルの変更によって出力音量が小さくなったり大きくなったりする。これにより、ユーザーは、放送チャンネルの変更毎に端末の音量レベルを再調整しなければならない。
【発明の開示】
【発明が解決しようとする課題】
【０００６】
本発明の目的は、デジタルマルチメディア放送チャンネルの変更時にも、同一の音量のデジタルマルチメディア放送オーディオ信号を出力するデジタルマルチメディア放送受信端末のデジタルマルチメディア放送チャンネルに従うオーディオ信号出力方法及び装置を提供することにある。
【０００７】
本発明の他の目的は、ユーザーの操作が簡便なデジタルマルチメディア放送受信端末のデジタルマルチメディア放送チャンネルに従うオーディオ信号出力方法及び装置を提供することにある。
【課題を解決するための手段】
【０００８】
前記目的を達成するために、本発明は、デジタルマルチメディア放送受信端末のデジタルマルチメディア放送チャンネルに従うオーディオ信号出力方法において、各デジタルマルチメディア放送チャンネルに対応するデジタルマルチメディア放送信号の基本音量値と、前記デジタルマルチメディア放送受信端末の既に格納された多数の音量レベル値とを比較して、算出される多数の差異値に対応する補正値を格納するステップと、任意のデジタルマルチメディア放送信号が受信されれば、当該デジタルマルチメディア放送チャンネルと現在デジタルマルチメディア放送受信端末に設定された音量レベル値とに従って対応する補正値を検出し、検出された補正値に従って前記任意のマルチメディア放送信号の基本音量値を増幅又は減衰して出力するステップとを含むことを特徴とする。
【０００９】
また、本発明は、デジタルマルチメディア放送受信端末のデジタルマルチメディア放送チャンネルに従うオーディオ信号出力装置において、前記デジタルマルチメディア放送受信端末の多数の音量レベル値及び多数の補正値を格納するメモリと、各デジタルマルチメディア放送チャンネルに対応するデジタルマルチメディア放送信号の基本音量値と、前記多数の音量レベル値とを比較して、算出された多数の差異値に対応する前記多数の補正値を前記メモリに格納し、任意のデジタルマルチメディア放送信号が受信されれば、当該デジタルマルチメディア放送チャンネルと前記現在デジタルマルチメディア放送受信端末に設定された音量レベル値とに従って対応する補正値を検出して、検出された補正値に従って前記任意のマルチメディア放送信号の基本音量値を増幅又は減衰して出力するように、オーディオ処理部を制御するデジタルマルチメディア放送処理部とを備えることを特徴とする。
【発明の効果】
【００１０】
本発明によれば、受信されるデジタルマルチメディア放送信号の基本音量値と多数のデジタルマルチメディア放送受信端末の基本レベル値とを比較して、その差異値に従う補正値からなる補正値テーブルを構成し、現在受信されるデジタルマルチメディア放送信号と現在設定された基本レベル値とに従って対応する補正値を検出し、前記受信されるデジタルマルチメディア放送信号を前記補正値に従って増幅/減衰して出力することで、同一の出力レベルが設定された状態で均一な音量のオーディオ信号出力が可能となる。
【発明を実施するための最良の形態】
【００１１】
以下、添付図面に基づき、本発明の好適な実施形態を詳細に説明する。また、図面において、従来と同一の構成要素に対しては同じ符号を使用したことに留意すべきである。なお、本発明の説明において、本発明に関連した公知機能や構成についての具体的な説明が、本発明の要旨を不明瞭にすると判断される場合には、その詳細な説明を省略する。
まず、図１を参照して、本発明が適用されるデジタルマルチメディア放送受端末の構成を説明する。図１は、本発明が適用されるデジタルマルチメディア放送受信端末の構成を示す図である。図１に示すように、デジタルマルチメディア放送受信端末は、デジタルマルチメディア放送受信部１０と、デジタルマルチメディア放送処理部２０と、オーディオ処理部３０と、メモリ部４０とからなる。
【００１２】
デジタルマルチメディア放送受信部１０は、デジタルマルチメディア放送処理部２０の制御により、デジタルマルチメディア放送信号を受信し、デジタルマルチメディア放送処理部２０に伝達する。
【００１３】
デジタルマルチメディア放送処理部２０は、キー入力部(図示せず)から入力されるキーデータに応じて、デジタルマルチメディア放送受信部１０から入力されるデジタルマルチメディア放送信号をデコーディングする。デジタルマルチメディア放送処理部２０は、デコーディングされたデジタルマルチメディア放送信号に含まれた映像データを表示部(図示せず)に出力し、デジタルマルチメディア放送音声データはオーディオ処理部３０に出力する。
【００１４】
オーディオ処理部３０は、オーディオ出力手段に接続され、デジタルマルチメディア放送処理部２０から入力されるオーディオデータをオーディオ出力手段に出力する。
【００１５】
メモリ部４０は、デジタルマルチメディア放送処理部２０の処理及び制御のためのプログラム、参照データ、更新可能な各種保管用データなどを格納し、デジタルマルチメディア放送処理部２０のワーキングメモリ(working memory)として提供される。また、本発明の一実施形態により受信されたデジタルマルチメディア放送オーディオ信号の音量に対する多数の補正値からなる補正値テーブルを格納する。補正値テーブルの一実施形態を図３に示す。図３は、本発明の一実施形態による補正値テーブルを示す図である。
【００１６】
本発明の一実施形態による補正値は、任意のデジタルマルチメディア放送信号の基本音量値及びデジタルマルチメディア放送受信端末の音量レベル値によって決定される。基本音量値は、デジタルマルチメディア放送の提供サーバーにより任意のデジタルマルチメディア放送信号に設定された音量値であって、当該デジタルマルチメディア放送チャンネルにより、或いは、デジタルマルチメディア放送コンテンツ提供者の種類により、異に設定される。音量レベル値は、デジタルマルチメディア放送端末に設定される出力音量値であって、デジタルマルチメディア端末を介して出力されるオーディオ信号の最終出力レベルを決定する。すなわち、受信されるデジタルマルチメディア放送信号に含まれる基本音量値は、一般的に音量レベル値によって増幅又は減少されて出力される。音量レベル値は互いに異なる多数の値からなり、メモリ部４０に予め格納され、ユーザー操作によって当該音量レベル値がデジタルマルチメディア放送端末に設定される。
【００１７】
本発明は、前述したように、多数の互いに異なる放送チャンネルに対応するデジタルマルチメディア受信信号の基本音量値がそれぞれ異なるため、同一の音量レベル値によって増加又は減少されて出力される最終出力音量値も互いに異なるという従来の問題点を解決し、デジタルマルチメディア放送受信端末に同一の音量レベル値が設定された状態では、同一の最終出力音量値も同様にするための補正値テーブルを構成して格納する。
【００１８】
補正値テーブルを構成する過程は次の通りである。デジタルマルチメディア放送処理部２０は、現在設定された任意の放送チャンネルが最初に受信する放送チャンネルであれば、受信されるデジタルマルチメディア放送受信信号から基本音量値を検出し、予め格納された多数の音量レベル値と比較して、その差異値を補正値テーブルに任意の放送チャンネルに対する補正値として格納する。このとき、補正値は、基本音量値よりも比較された音量レベル値が大きければ(−)値を持ち、基本音量値よりも比較された音量レベル値が小さければ(＋)値を持つ。
【００１９】
以後、デジタルマルチメディア放送処理部２０は、デジタルマルチメディア放送受信端末に設定された音量レベル値に従って補正値テーブルで当該補正値を検出し、補正値に従って任意の放送チャンネルを介して受信されるデジタルマルチメディア放送信号の基本音量値を増幅又は減衰して出力する。このとき、補正値が負であれば基本音量値は減衰され、補正値が正であれば基本音量値は増幅される。
【００２０】
デジタルマルチメディア放送処理部２０の動作過程を図２に示す。図２は、本発明の一実施形態によるデジタルマルチメディア放送受信端末の動作フローチャートである。図２によれば、デジタルマルチメディア放送処理部２０は、段階Ｓ１０１において、現在設定されたチャンネルに該当するデジタルマルチメディア放送信号を受信し、段階Ｓ１０３において最初に受信されるデジタルマルチメディア放送チャンネルか否かを判別して、最初に受信されるデジタルマルチメディア放送チャンネルであれば段階Ｓ１０５に進行し、最初に受信されるデジタルマルチメディア放送チャンネルでなければ段階Ｓ１０９に進行する。デジタルマルチメディア放送処理部２０は、段階Ｓ１０５において受信されたデジタルマルチメディア放送受信信号の基本音量値を検出し、段階Ｓ１０７において検出された基本音量値と多数の端末音量レベル値とを比較して、その差異値からなる補正値テーブルを構成して格納する。次に、デジタルマルチメディア放送処理部２０は、段階Ｓ１０９において受信されたデジタルマルチメディア放送チャンネルと現在設定された端末音量レベル値とに従い、対応する補正値を格納された補正値テーブルで検出し、段階Ｓ１１１において検出された補正値に従って受信されたデジタルマルチメディア放送信号の基本音量値を増幅又は減衰してデジタルマルチメディア放送オーディオ信号を出力する。つまり、デジタルマルチメディア放送処理部２０は、段階Ｓ１０３において、最初に受信されるデジタルマルチメディア放送チャンネルか否かを判別して、最初に受信されるデジタルマルチメディア放送チャンネルであれば段階Ｓ１０５〜段階Ｓ１０７により補正値テーブルを構成して段階Ｓ１０９に進行し、最初に受信されるデジタルマルチメディア放送チャンネルでなければ、段階Ｓ１０９において当該補正値を検出し、段階Ｓ１１１においてデジタルマルチメディア放送信号の音量値を補正して最終出力する。
【００２１】
一方、デジタルマルチメディア放送処理部２０は、段階Ｓ１１３において、デジタルマルチメディア放送チャンネルの変更が検出されれば、段階Ｓ１０１に戻って段階Ｓ１０１〜段階Ｓ１１３を遂行する。また、デジタルマルチメディア放送処理部２０は、段階Ｓ１１３においてデジタルマルチメディア放送チャンネルの変更が検出されなければ、段階Ｓ１１５においてユーザーから端末音量レベル値の変更の要求があるか否かを判別して、端末音量レベル値の変更の要求があれば段階Ｓ１１７に進行し、端末音量レベルの変更の要求がなければ段階Ｓ１１９に進行する。次に、デジタルマルチメディア放送処理部２０は、段階Ｓ１１７において、変更された音量レベル値と受信されたデジタルマルチメディア放送チャンネルとに従って対応する補正値が格納された補正値テーブルで検出し、段階Ｓ１１１に戻る。換言すれば、ユーザーによりデジタルマルチメディア放送チャンネルが変更されたり、音量レベル値が変更されたりすれば、それに従う補正値を検出してデジタルマルチメディア放送受信信号の最終オーディオ出力を調整することで、同一の音量レベル値が維持された状態では均一なオーディオ信号が出力される。
【００２２】
続いて、デジタルマルチメディア放送処理部２０は、段階Ｓ１１９においてデジタルマルチメディア放送の終了の要求があれば、段階Ｓ１２１においてデジタルマルチメディア放送を終了し、デジタルマルチメディア放送の終了の要求がなければ、段階Ｓ１１３に戻って前述した過程を繰返す。
【００２３】
よって、本発明は、デジタルマルチメディア放送受信端末から出力されるデジタルマルチメディア放送受信信号のオーディオの出力を均一にすることができる。
【００２４】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００２５】
【図１】本発明が適用されるデジタルマルチメディア放送受信端末の構成を示す図である。
【図２】本発明の一実施形態によるデジタルマルチメディア放送受信端末の動作フローチャートである。
【図３】本発明の一実施形態による補正値テーブルを示す図である。
【符号の説明】
【００２６】
１０  デジタルマルチメディア放送受信部
２０  デジタルマルチメディア放送処理部
３０  オーディオ処理部
４０  メモリ部
【図１】
2007013968.tif 000003
【図２】
2007013968.tif 000004
【図３】
2007013968.tif 000005